(57)【要約】【課題】複数の画像処理装置に保存されている宛先データを自動的に収集してアドレス帳を作成できるのは勿論のこと、ユーザにとって使い勝手の良いアドレス帳を作成することができるアドレス帳集約管理装置等を提供する。【解決手段】ネットワーク５を介して接続された複数の画像処理装置１〜３から、データ収集手段１１が少なくとも送信履歴を収集し、宛先データ抽出手段１１が収集された送信履歴から送信履歴に含まれる宛先データを抽出し、重要度算出手段１１が宛先データの重要度を算出する。算出された重要度の高い宛先データがアドレス帳に登録される。【選択図】  図８
2010062878.tif 000002
【特許請求の範囲】
【請求項１】
ネットワークを介して接続された複数の画像処理装置から、少なくとも送信履歴を収集するデータ収集手段と、
前記データ収集手段により収集された送信履歴から、送信履歴に含まれる宛先データを抽出する宛先データ抽出手段と、
前記宛先データ抽出手段により抽出された宛先データの重要度を算出する重要度算出手段と、
前記重要度算出手段により重要度が算出された宛先データのうち、重要度の高い宛先データをアドレス帳に登録するアドレス帳作成手段と、
を備えていることを特徴とするアドレス帳集約管理装置。
【請求項２】
前記重要度算出手段は、ユーザ毎の宛先データの重要度を算出し、
前記アドレス帳作成手段は、ユーザ毎に重要度の高い宛先データをアドレス帳に登録する請求項１に記載のアドレス帳集約管理装置。
【請求項３】
前記重要度は送信回数に基づいて算出される請求項１または２に記載のアドレス帳集約管理装置。
【請求項４】
前記重要度は送信回数と送信時期の組合せに基づいて算出される請求項１または２に記載のアドレス帳集約管理装置。
【請求項５】
ネットワークを介して接続された複数の画像処理装置から、少なくとも送信履歴を収集するデータ収集ステップと、
前記収集された送信履歴から、送信履歴に含まれる宛先データを抽出する宛先データ抽出ステップと、
前記抽出された宛先データの重要度を算出する重要度算出ステップと、
前記重要度が算出された宛先データのうち、重要度の高い宛先データをアドレス帳に登録するアドレス帳作成ステップと、
を備えたことを特徴とするアドレス帳集約管理装置におけるアドレス帳作成方法。
【請求項６】
前記重要度算出ステップでは、ユーザ毎の宛先データの重要度を算出し、
前記アドレス帳作成ステップでは、ユーザ毎に重要度の高い宛先データをアドレス帳に登録する請求項５に記載のアドレス帳作成方法。
【請求項７】
前記重要度は送信回数に基づいて算出される請求項５または６に記載のアドレス帳作成方法。
【請求項８】
前記重要度は送信回数と送信時期の組合せに基づいて算出される請求項５または６に記載のアドレス帳作成方法。
【請求項９】
ネットワークを介して接続された複数の画像処理装置から、少なくとも送信履歴を収集するデータ収集ステップと、
前記収集された送信履歴から、送信履歴に含まれる宛先データを抽出する宛先データ抽出ステップと、
前記抽出された宛先データの重要度を算出する重要度算出ステップと、
前記重要度が算出された宛先データのうち、重要度の高い宛先データをアドレス帳に登録するアドレス帳作成ステップと、
をアドレス帳集約管理装置のコンピュータに実行させるためのアドレス帳作成プログラム。
【請求項１０】
前記重要度算出ステップでは、ユーザ毎の宛先データの重要度を算出し、
前記アドレス帳作成ステップでは、ユーザ毎に重要度の高い宛先データをアドレス帳に登録する請求項９に記載のアドレス帳作成プログラム。
【請求項１１】
前記重要度は送信回数に基づいて算出される請求項９または１０に記載のアドレス帳作成プログラム。
【請求項１２】
前記重要度は送信回数と送信時期の組合せに基づいて算出される請求項９または１０に記載のアドレス帳作成プログラム。
【発明の詳細な説明】
【技術分野】
【０００１】
この発明は、ネットワークを介して接続された複数の画像処理装置におけるアドレス帳を集約管理するアドレス帳集約管理装置、同装置におけるアドレス帳作成方法及びアドレス帳作成プログラムに関する。
【背景技術】
【０００２】
近年、ネットワークの普及に伴って企業やオフィス等では、例えば各部所毎に多機能デジタル画像形成装置であるＭＦＰ（Multi Function Peripherals) 等を配置するとともに、これら複数のＭＦＰをＬＡＮ等のネットワークに接続し、ＭＦＰで読み取った画像データを該ネットワークを介して他のＭＦＰや所定の宛先に送信するといった使用形態が多くなっている。
【０００３】
このため、このような環境下における各ＭＦＰには、宛先データを有するアドレス帳が保存されており、ＭＦＰを使って画像データ等を相手に送信する場合、各ユーザはそのＭＦＰに保存されたアドレス帳を用いて宛先データを指定することが行われている。
【０００４】
しかし、従来では、ユーザのアドレス帳はユーザ登録されているＭＦＰにしか保存されておらず、他のＭＦＰからは自分のアドレス帳を使用できず不便である。
【０００５】
このため、ユーザ毎のアドレス帳をサーバに一括して保管させることにより、ユーザがどのＭＦＰからでも自己のアドレス帳を使用できるようにした技術の導入が検討されている。
【０００６】
この場合、複数のＭＦＰに保存されているアドレス帳のサーバへの移行を手作業で行うのは、作業が大変である。
【０００７】
なお、複数のファクシミリ装置から短縮ダイヤル情報をホストコンピュータに集め、収集した短縮ダイヤル情報をホストコンピュータで合成して新たな短縮ダイヤル情報を作成するようにした技術が提案されている（例えば、特許文献１参照）。
【特許文献１】特開平６−２３７３４号公報
【発明の開示】
【発明が解決しようとする課題】
【０００８】
しかし、特許文献１などを参照して、複数のＭＦＰに保存されているアドレス帳のサーバへの移行を自動的に行ったとしても、アドレス帳に登録されていた宛先データの過去の使用履歴にもかかわらず、全ての宛先データが同等に再登録されるだけでは、ユーザにとって頻繁に使用するものとそうでないものとを再度分類しなければならず、使い勝手が良くないという問題があった。
【０００９】
この発明は、上記実情に鑑みてなされたものであり、複数の画像処理装置に保存されている宛先データを自動的に収集してアドレス帳を作成できるのは勿論のこと、ユーザにとって使い勝手の良いアドレス帳を作成することができるアドレス帳集約管理装置を提供し、さらには同装置におけるアドレス帳作成方法、及び前記アドレス帳作成方法をアドレス帳集約管理装置のコンピュータに実行させるためのアドレス帳作成プログラムを提供することを課題とする。
【課題を解決するための手段】
【００１０】
上記課題は、以下の手段により解決される。
（１）ネットワークを介して接続された複数の画像処理装置から、少なくとも送信履歴を収集するデータ収集手段と、前記データ収集手段により収集された送信履歴から、送信履歴に含まれる宛先データを抽出する宛先データ抽出手段と、前記宛先データ抽出手段により抽出された宛先データの重要度を算出する重要度算出手段と、前記重要度算出手段により重要度が算出された宛先データのうち、重要度の高い宛先データをアドレス帳に登録するアドレス帳作成手段と、を備えていることを特徴とするアドレス帳集約管理装置。
（２）前記重要度算出手段は、ユーザ毎の宛先データの重要度を算出し、前記アドレス帳作成手段は、ユーザ毎に重要度の高い宛先データをアドレス帳に登録する前項１に記載のアドレス帳集約管理装置。
（３）前記重要度は送信回数に基づいて算出される前項１または２に記載のアドレス帳集約管理装置。
（４）前記重要度は送信回数と送信時期の組合せに基づいて算出される前項１または２に記載のアドレス帳集約管理装置。
（５）ネットワークを介して接続された複数の画像処理装置から、少なくとも送信履歴を収集するデータ収集ステップと、前記収集された送信履歴から、送信履歴に含まれる宛先データを抽出する宛先データ抽出ステップと、前記抽出された宛先データの重要度を算出する重要度算出ステップと、前記重要度が算出された宛先データのうち、重要度の高い宛先データをアドレス帳に登録するアドレス帳作成ステップと、を備えたことを特徴とするアドレス帳集約管理装置におけるアドレス帳作成方法。
（６）前記重要度算出ステップでは、ユーザ毎の宛先データの重要度を算出し、前記アドレス帳作成ステップでは、ユーザ毎に重要度の高い宛先データをアドレス帳に登録する前項５に記載のアドレス帳作成方法。
（７）前記重要度は送信回数に基づいて算出される前項５または６に記載のアドレス帳作成方法。
（８）前記重要度は送信回数と送信時期の組合せに基づいて算出される前項５または６に記載のアドレス帳作成方法。
（９）ネットワークを介して接続された複数の画像処理装置から、少なくとも送信履歴を収集するデータ収集ステップと、前記収集された送信履歴から、送信履歴に含まれる宛先データを抽出する宛先データ抽出ステップと、前記抽出された宛先データの重要度を算出する重要度算出ステップと、前記重要度が算出された宛先データのうち、重要度の高い宛先データをアドレス帳に登録するアドレス帳作成ステップと、をアドレス帳集約管理装置のコンピュータに実行させるためのアドレス帳作成プログラム。
（１０）前記重要度算出ステップでは、ユーザ毎の宛先データの重要度を算出し、前記アドレス帳作成ステップでは、ユーザ毎に重要度の高い宛先データをアドレス帳に登録する前項９に記載のアドレス帳作成プログラム。
（１１）前記重要度は送信回数に基づいて算出される前項９または１０に記載のアドレス帳作成プログラム。
（１２）前記重要度は送信回数と送信時期の組合せに基づいて算出される前項９または１０に記載のアドレス帳作成プログラム。
【発明の効果】
【００１１】
前項（１）に記載の発明によれば、複数の画像処理装置から、少なくとも送信履歴が収集され、収集された送信履歴に含まれる宛先データが抽出され、抽出された宛先データの重要度が算出される。そして、算出された重要度の高い宛先データがアドレス帳に自動的に登録される。
【００１２】
このように、送信履歴から抽出された宛先データのうち重要度の高い宛先データのみがアドレス帳に登録され、重要度の高くない余分な宛先データは登録されないから、アドレス帳の作成後にユーザが重要度の高いものと高くないものとを分類する手間も要らず、使い勝手が格段に良くなる。
【００１３】
前項（２）に記載の発明によれば、ユーザ毎の宛先データの重要度が算出され、重要度の高い宛先データが登録された新たなアドレス帳がユーザ毎に作成されるから、各ユーザにとっては自己のアドレス帳を別途作成する手間が不要となり、極めて便利である。
【００１４】
前項（３）に記載の発明によれば、重要度は送信回数に基づいて算出されるから、送信回数の多い宛先データがアドレス帳に登録され、ユーザにとって実用価値の高いものとなる。
【００１５】
前項（４）に記載の発明によれば、重要度は送信回数と送信時期の組合せに基づいて算出されるから、送信回数が少なくても直近に繰り返して送信が行われているような宛先については、重要度が高くなり、実情に即したアドレス帳を作成することができる。
【００１６】
前項（５）に記載の発明によれば、各画像処理装置の送信履歴から抽出された宛先データのうち重要度の高い宛先データのみがアドレス帳に登録され、重要度の高くない余分な宛先データは登録されないから、アドレス帳の作成後にユーザが重要度の高いものと高くないものとを分類する手間も要らず、使い勝手が格段に良くなる。
【００１７】
前項（６）に記載の発明によれば、ユーザ毎の宛先データの重要度が算出され、重要度の高い宛先データが登録されたアドレス帳がユーザ毎に作成されるから、各ユーザにとって極めて便利である。
【００１８】
前項（７）に記載の発明によれば、重要度は送信回数に基づいて算出されるから、送信回数の多い宛先データがアドレス帳に登録される。
【００１９】
前項（８）に記載の発明によれば、重要度は送信回数と送信時期の組合せに基づいて算出されるから、送信回数が少なくても直近に繰り返して送信が行われているような宛先については、重要度が高くなり、実情に即したアドレス帳を作成することができる。
【００２０】
前項（９）に記載の発明によれば、各画像処理装置の送信履歴から抽出された宛先データのうち重要度の高い宛先データのみをアドレス帳に登録する処理を、アドレス帳集約管理装置のコンピュータに実行させることができる。
【００２１】
前項（１０）に記載の発明によれば、ユーザ毎の宛先データの重要度を算出し、重要度の高い宛先データをアドレス帳に登録する処理を、アドレス帳集約管理装置のコンピュータに実行させることができる。
【００２２】
前項（１１）に記載の発明によれば、重要度を送信回数に基づいて算出する処理を、アドレス帳集約管理装置のコンピュータに実行させることができる。
【００２３】
前項（１２）に記載の発明によれば、重要度を送信回数と送信時期の組合せに基づいて算出する処理を、アドレス帳集約管理装置のコンピュータに実行させることができる。
【発明を実施するための最良の形態】
【００２４】
以下、この発明の一実施形態を図面に基づいて説明する。
【００２５】
図１は、この発明の一実施形態に係るアドレス帳集約管理装置が用いられた画像処理システムの概略構成図である。
【００２６】
図１において、この画像処理システムは、複数の画像処理装置としてのＭＦＰ１〜３と、ＭＦＰ１〜３のアドレス帳を集約して管理するアドレス帳集約管理装置としてのサーバ４とを備えており、これらＭＦＰ１〜３とサーバ４とは、ネットワーク５を介して接続されている。
【００２７】
前記各ＭＦＰ１〜３には、それぞれ、ユーザが画像データ等の送信操作時に指定する宛先データが登録されたアドレス帳が保存されるとともに、過去の送信履歴が記録されている。
【００２８】
図２は、前記サーバ４の電気的構成を示すブロック図である。
【００２９】
図２おいて、このサーバ４は、パーソナルコンピュータからなり、ＣＰＵ１１と、ＲＯＭ１２と、ＲＡＭ１３と、記憶部１４と、外部インターフェース（Ｉ／Ｆ）部１５と、操作部１６と、表示部１７を備えている。
【００３０】
前記ＣＰＵ１１は、全体の動作を統括制御する他、特にこの実施形態では、各ＭＦＰ１〜３からデータを収集・解析して、新しいアドレス帳を作成する機能を有している。この機能については後述する。
【００３１】
前記ＲＯＭ１２は、ＣＰＵ１１の動作プログラム等を格納するメモリである。
【００３２】
前記ＲＡＭ１３は、ＣＰＵ１１が動作プログラムを実行する際の作業領域を提供するメモリである。
【００３３】
前記記憶部１４は例えばハードディスク装置等からなり、宛先データを有する各ユーザ毎のアドレス帳等を記憶する。
【００３４】
前記外部Ｉ／Ｆ部１５は、前記ＭＦＰ１〜３との間でデータの送受信を行うものであり、送信部１５１及び受信部１５２を備えている。
【００３５】
操作部１６は、キーボードやマウス等からなり、管理者等がサーバ４に対して各種の入力等を行うものである。表示部１７は、液晶表示装置等からなり、データ内容、メッセージ、装置の状態等を表示する。
【００３６】
次に、前記サーバ４のＣＰＵ１１によって実行される、各ＭＦＰ１〜３のデータの収集・解析及び新しいアドレス帳の作成機能について説明する。
【００３７】
ＣＰＵ１１は、図３（Ａ）に示すように、前記ＭＦＰ１〜３にそれぞれ保存されているユーザ共通の共有アドレス帳ｎと送信履歴とを、ネットワーク５を介して収集する。図３（Ａ）の矢印は、サーバ４でデータを吸い上げる状態を示している。図４に例えばＭＦＰ１から収集した共有アドレス帳ｎの一例を、図５にＭＦＰ１から収集した送信履歴の一例を示す。アドレス帳ｎには、「送信種別」、「宛先名称」、「宛先詳細」の各データが含まれ、送信履歴には、「送信日時」、送信操作を行った「ユーザ名」、「送信種別」、「宛先」、「結果」等が含まれている。
【００３８】
そして、収集した送信履歴を解析して宛先データを抽出し、共有アドレス帳ｎに記述されている各宛先に対して送信回数を紐付けする。なお、各ＭＦＰから送信履歴のみを取得して宛先データを抽出するとともに、抽出された宛先に対して送信回数を紐付けしても良いが、送信履歴と共有アドレス帳ｎの両方を取得した方が、紐付け作業が容易になる。
【００３９】
上記の作業を各ＭＦＰ１〜３毎に行ったのち、ＭＦＰ１〜３において重複している宛先データを一つにまとめ、送信回数の多い順に並べ替える。図６に、送信回数の多い順に宛先データを並べ替えた状態を示している。
【００４０】
次いで、送信回数の上位の宛先を重要度の高いものとして抜き出して、図３（Ｂ）に示すように、各ユーザのアドレス帳Ｎに基礎データとして登録し、記憶部１４に記憶する。
【００４１】
新たに作成されたアドレス帳Ｎの一例を図７に示す。図７に示した例では、図６に示されたものの中から、送信回数の上位の宛先データが登録されている。
【００４２】
なお、この実施形態では、ＭＦＰ１〜３毎のアドレス帳ｎのデータがサーバ４に収集された際、ＭＦＰ１〜３毎のアドレス帳ｎは、共有アドレス帳として今まで通りに各ＭＦＰ１〜３に保存され、サーバ４での新たなアドレス帳Ｎと併用される構成となされている。
【００４３】
一方、新たなアドレス帳を作成したサーバ４では、ＭＦＰ１〜３からの要求に応じ、前記新たなアドレス帳Ｎのデータを記憶部１４から読み出して、図３（Ｃ）に示すように当該ＭＦＰ１〜３に提供する。図３（Ｃ）の矢印は、サーバ４からＭＦＰ１〜３へ宛先データが提供されていることを示している。
【００４４】
次に、サーバ４による新たなアドレス帳Ｎを作成する処理を、図８のフローチャートを参照して説明する。なおこの処理は、サーバ４のＣＰＵ１１が、ＲＯＭ１２等の記録媒体に記録された動作プログラムに従って動作することにより実行される。
【００４５】
ステップＳ１では、サーバ４が管理するＭＦＰ１〜３のうちの１台からアドレス帳ｎと送信履歴とを収集し、ステップＳ２では、収集した送信履歴を解析し、アドレス帳の各宛先に対して送信回数を紐付ける。
【００４６】
ステップＳ３では、管理下のすべてのＭＦＰ１〜３に対して上記の収集処理が終了したか否を判断し、すべてのＭＦＰ１〜３に対して収集処理が終了していなければ（ステップＳ３でＮＯ）、ステップＳ１に戻り、すべてのＭＦＰ１〜３に対して収集処理が終了するまでステップＳ１〜Ｓ３を繰り返す。すべてのＭＦＰ１〜３に対して収集処理が終了すると（ステップＳ３でＹＥＳ）、ステップＳ４に進む。
【００４７】
ステップＳ４では、送信回数を紐付けられたＭＦＰ毎の宛先データのうち、重複している宛先データ同士を一つにまとめ、送信回数も合計する。
【００４８】
次いで、ステップＳ５で、送信回数の多い順（重要度が高い順）に並べ替え（ソートし）、上位一定数の宛先データを抜き出し、ステップＳ６では、抜き出した宛先データを、全ユーザの各アドレス帳に登録したのち、処理を終了する。
【００４９】
このように、収集した宛先データのうち送信回数の多い宛先データのみが登録されて、送信回数の少ない（重要度が低い）余分なデータは登録されないから、アドレス帳の作成後にユーザが重要度の高いものと高くないものとを分類する手間も要らず、使い勝手が格段に良くなる。
【００５０】
図９は、ユーザ別に新たなアドレス帳Ｎを作成する処理を示すフローチャートである。この処理も、サーバ４のＣＰＵ１１が、ＲＯＭ１２等の記録媒体に記録された動作プログラムに従って動作することにより実行される。
【００５１】
ステップＳ１１では、サーバ４が管理するＭＦＰ１〜３のうちの１台からアドレス帳ｎと送信履歴とを収集し、ステップＳ１２では、収集した送信履歴を解析し、アドレス帳の各宛先に対して送信回数を紐付ける。
【００５２】
ステップＳ１３では、管理下のすべてのＭＦＰ１〜３に対して上記の収集処理が終了したか否を判断し、すべてのＭＦＰ１〜３に対して収集処理が終了していなければ（ステップＳ１３でＮＯ）、ステップＳ１に戻り、すべてのＭＦＰ１〜３に対して収集処理が終了するまでステップＳ１１〜Ｓ１３を繰り返す。すべてのＭＦＰ１〜３に対して収集処理が終了すると（ステップＳ１３でＹＥＳ）、ステップＳ１４に進む。
【００５３】
ステップＳ１４では、送信回数を紐付けられたＭＦＰ毎の宛先データを、ユーザ別に分けたのち、ステップＳ１５では、ユーザ別に分けたＭＦＰ毎の宛先データのうち、重複している宛先データ同士を一つにまとめ、送信回数も合計する。
【００５４】
次いで、ステップＳ１６で、送信回数の多い順（重要度が高い順）に並べ替え、上位一定数の宛先データを抜き出し、ステップＳ１７では、抜き出した宛先データを、対応するユーザのアドレス帳に登録したのち、終了する。
【００５５】
このように、ユーザ別に送信回数が多い宛先データが登録されて、新たなアドレス帳がユーザ毎に作成されるから、各ユーザにとっては自己のアドレス帳を別途作成する手間が不要となり、極めて便利である。
【００５６】
図８及び図９に示した実施形態では、重要度として送信回数を用いたが、重要度を送信回数と送信時期との組合せに基づいて算出しても良い。
【００５７】
図１０は、送信回数が多くかつ送信時期が新しい宛先データを、重要度の高いものとして、サーバ４のアドレス帳に登録する処理を説明するためのフローチャートである。この処理も、サーバ４のＣＰＵ１１が、ＲＯＭ１２等の記録媒体に記録された動作プログラムに従って動作することにより実行される。
【００５８】
ステップＳ２１では、サーバ４が管理するＭＦＰ１〜３のうちの１台からアドレス帳ｎと送信履歴とを収集し、ステップＳ２２では、収集した送信履歴を解析し、アドレス帳の各宛先に対して重み付けを考慮したポイント計算を行い、得られたポイントを紐付ける。なお、ポイントは送信回数×係数で計算され、係数の大小で重み付けを変える。係数の例を図１１に示す。この実施形態では、送信時期が新しい宛先ほど係数が大きく設定されており、送信時期が１ヶ月以内であれば係数は最大値ｐ、１〜２か月前では係数は（ｐ−１）、２〜３か月前では係数は（ｐ−２）、・・・と順次小さくなり、ｐか月前以前では係数は１に設定されている。
【００５９】
次に、ステップＳ２３では、管理下のすべてのＭＦＰ１〜３に対して上記の収集処理が終了したか否を判断し、すべてのＭＦＰ１〜３に対して収集処理が終了していなければ（ステップＳ２３でＮＯ）、ステップＳ２１に戻り、すべてのＭＦＰ１〜３に対して収集処理が終了するまでステップＳ２１〜Ｓ２３を繰り返す。すべてのＭＦＰ１〜３に対して収集処理が終了すると（ステップＳ２３でＹＥＳ）、ステップＳ２４に進む。
【００６０】
ステップＳ２４では、ポイントを紐付けられたＭＦＰ毎の宛先データのうち、重複している宛先データ同士を一つにまとめ、ポイントも合計する。
【００６１】
次いで、ステップＳ２５で、ポイントの多い順（重要度が高い順）に並べ替え、上位一定数の宛先データを抜き出し、ステップＳ２６では、抜き出した宛先データを、全ユーザの各アドレス帳に登録したのち、終了する。
【００６２】
このように、収集した宛先データのうちポイントの大きな（重要度の高い）宛先データのみが登録されて、ポイントの小さい（重要度が低い）余分なデータは登録されないから、アドレス帳の作成後にユーザが重要度の高いものと高くないものとを分類する手間も要らず、使い勝手が格段に良くなる。
【００６３】
しかも、送信回数と送信時期を考慮して重要度の重み付けが行われるから、送信回数が少なくても直近に繰り返して送信が行われているような宛先については、ポイントが大きくなり、実情に即したアドレス帳を作成することができる。
【００６４】
尚、図１０の実施形態においても、図９の実施形態と同様に、ユーザ別の宛先データを収集することにより、ユーザ毎に異なったアドレス帳を作成するものとしても良い。
【００６５】
また、この実施形態では、アドレス帳集約管理装置を、ＭＦＰ１〜３にネットワーク５を介して接続されたサーバ４で構成した例で説明したが、サーバ４に限らず、ＭＦＰ１〜３の一つに、アドレス帳集約管理装置の機能を持たせる構成も可能である。
【図面の簡単な説明】
【００６６】
【図１】この発明の一実施形態に係るアドレス帳集約管理装置が用いられた画像処理システムの構成図である。
【図２】図１のシステムに用いられたアドレス帳集約管理装置であるサーバの電気的構成を示すブロック図である。
【図３】サーバによって行われる、各ＭＦＰから送信履歴を収集してアドレス帳を作成する動作を説明するための図である。
【図４】ＭＦＰから収集したアドレス帳の一例を示す図である。
【図５】ＭＦＰから収集した送信履歴の一例を示す図である。
【図６】宛先データを送信回数の多い順に並べ替えた状態を示す図である。
【図７】サーバにより作成されたアドレス帳の一例を示す図である。
【図８】サーバによる新たなアドレ帳の作成処理を示すフローチャートである。
【図９】サーバによる新たなアドレ帳の作成処理の他の例を示すフローチャートである。
【図１０】サーバによる新たなアドレ帳の作成処理のさらに他の例を示すフローチャートである。
【図１１】重み付けに使用する送信時期と係数との関係を示す表である。
【符号の説明】
【００６７】
１〜３      画像処理装置（ＭＦＰ）
４          アドレス帳集約管理装置（サーバ）
５          ネットワーク
１１        ＣＰＵ
１２        ＲＯＭ
【図１】
2010062878.tif 000003
【図２】
2010062878.tif 000004
【図３】
2010062878.tif 000005
【図４】
2010062878.tif 000006
【図５】
2010062878.tif 000007
【図６】
2010062878.tif 000008
【図７】
2010062878.tif 000009
【図８】
2010062878.tif 000010
【図９】
2010062878.tif 000011
【図１０】
2010062878.tif 000012
【図１１】
2010062878.tif 000013